(57)【要約】【課題】  ネットワークの動的変化に適応的なストリーミングサービスの提供方法を介して品質の保障されたストリーミングサービスを提供する。【解決手段】  本発明に係るストリーミングサービスの提供方法は、メディアストリームを処理するＱｏＳデバイスの間のネットワーク資源を割り当てるＱｏＳマネージャーに要請したサービスが受諾されない場合、所定のネットワークに支援可能なサービスのレベルを決定するＱｏＳアダプタに適応的なサービス受諾を要請するステップと、ネットワークに適応的なサービスを提供するステップと、を含む。【選択図】      図１
2007184902.tif 000002
【特許請求の範囲】
【請求項１】
メディアストリームを処理するＱｏＳデバイスの間のネットワーク資源を割り当てるＱｏＳマネージャーに要請したサービスが受諾されない場合、所定のネットワークに支援可能なサービスのレベルを決定するＱｏＳアダプタに適応的なサービス受諾を要請するステップと、
前記ネットワークに適応的なサービスを提供するステップと、を含むことを特徴とするストリーミングサービスの提供方法。
【請求項２】
前記ＱｏＳアダプタに適応的なサービス受諾を要請するステップが、
前記ネットワークの資源状況情報に対する要請がある場合、前記ネットワークの資源状況情報をモニタリングする状態モニターから資源状況情報の伝達を受けるステップと、
前記資源状況情報を前記ＱｏＳアダプタに伝達し、適応的なサービスを要請するステップと、を含むことを特徴とする請求項１に記載のストリーミングサービスの提供方法。
【請求項３】
前記ＱｏＳアダプタに適応的なサービス受諾を要請するステップが、
前記ネットワークの資源状況が現在提供されているサービスに影響を及ぼすと判断される場合、前記ネットワークのコンテンツ伝送性能を定義するコントロールポイントが適応的なサービスを要請するステップと、
前記ネットワークの資源状況情報をモニタリングする状態モニターから資源状況情報の伝達を受けるステップと、
前記資源状況情報を前記ＱｏＳアダプタに伝達し、適応的なサービスを要請するステップと、を含むことを特徴とする請求項１に記載のストリーミングサービスの提供方法。
【請求項４】
前記ネットワークに適応的なサービスを提供するステップが、
前記資源状況情報による適応的なサービスのレベルを決定するステップと、
前記適応的なサービスのレベルを支援するための資源を割り当てるステップと、
割り当てされた前記資源に応じて適応的なサービスを提供するステップと、を含むことを特徴とする請求項２に記載のストリーミングサービスの提供方法。
【請求項５】
前記ネットワークに適応的なサービスを提供するステップが、
前記資源状況情報による適応的なサービスのレベルを決定するステップと、
前記適応的なサービスのレベルを支援するための資源を割り当てるステップと、
割り当てされた前記資源に応じて適応的なサービスを提供するステップと、を含むことを特徴とする請求項３に記載のストリーミングサービスの提供方法。
【請求項６】
前記状態モニターはＵＰｎＰメディアサーバからＵＰｎＰメディアレンダーラーにストリーミングサービスが提供される間、前記ＵＰｎＰメディアサーバ及び前記ＵＰｎＰメディアレンダーラーのネットワーク状況をモニタリングし、前記ストリーミングサービスに影響を及ぼす程度の資源変動を検知すると、前記ＱｏＳアダプタに適応的なサービスを要請することを特徴とする請求項４に記載のストリーミングサービスの提供方法。
【請求項７】
前記状態モニターはＵＰｎＰメディアサーバからＵＰｎＰメディアレンダーラーにストリーミングサービスが提供される間、前記ＵＰｎＰメディアサーバ及び前記ＵＰｎＰメディアレンダーラーのネットワーク状況をモニタリングし、前記ストリーミングサービスに影響を及ぼす程度の資源変動を検知すると、前記ＱｏＳアダプタに適応的なサービスを要請することを特徴とする請求項５に記載のストリーミングサービスの提供方法。
【請求項８】
前記資源状況情報が、前記ネットワークで利用可能な帯域幅の状態情報であることを特徴とする請求項４に記載のストリーミングサービスの提供方法。
【請求項９】
前記資源状況情報が、前記ネットワークで利用可能な帯域幅の状態情報であることを特徴とする請求項５に記載のストリーミングサービスの提供方法。
【請求項１０】
前記資源状況情報による適応的なサービスレベルを決定するステップが、前記帯域幅の状態情報による伝送率を調整するステップであることを特徴とする請求項８に記載のサービス提供方法。
【請求項１１】
前記資源状況情報による適応的なサービスレベルを決定するステップが、前記帯域幅の状態情報による伝送率を調整するステップであることを特徴とする請求項９に記載のサービス提供方法。
【請求項１２】
前記資源状況情報による適応的なサービスレベルを決定するステップが、前記帯域幅の状態情報によるデータ量を調整するステップであることを特徴とする請求項８に記載のサービス提供方法。
【請求項１３】
前記資源状況情報による適応的なサービスレベルを決定するステップが、前記帯域幅の状態情報によるデータ量を調整するステップであることを特徴とする請求項９に記載のサービス提供方法。
【発明の詳細な説明】
【技術分野】
【０００１】
本発明はネットワークの動的変化に適応的なストリーミングサービスの提供方法に関し、詳細にはＵＰｎＰ（ユニバーサルプラグアンドプレイ）フォルムのＵＰｎＰ  ＱｏＳ（クオリティオブサービス）グループで提案したＵＰｎＰ  ＱｏＳアーキテクチャを基盤にし、ホームネットワーク上でネットワークの動的変化に適応的なストリーミングサービスの提供方法に関する。
【背景技術】
【０００２】
ＵＰｎＰ  ＱｏＳアーキテクチャはホームネットワーク上でＱｏＳの保障されたコンテンツ共有のために提案されたものであって、トラフィックストリームのために特定量のネットワーク帯域幅を割り当て、帯域幅以上に割り当てることを抑制することにより、品質の保障されたストリームの伝送を提供する。
【０００３】
かかるＵＰｎＰ  ＱｏＳアーキテクチャのｖ（バージョン）１．０では、メディアストリームサービスの初期要請受諾に対する方案を定義している。そして、ＵＰｎＰ  ＱｏＳアーキテクチャｖ２．０では、ＱｏＳモニターと共に動的なネットワーク状況をモニタリングできる方案に対して論議しているが、ＵＰｎＰ  ＱｏＳアーキテクチャｖ２．０は確定されない状態である。また、ＵＰｎＰ  ＱｏＳアーキテクチャｖ２．０は収集された情報を活用する方案については提示されず、簡単なサービス受諾の制御機能のみを定義している。
【０００４】
かかるＵＰｎＰ  ＱｏＳアーキテクチャｖ１．０及びｖ２．０は、ＵＰｎＰ  ＱｏＳアーキテクチャに従わないネットワーク資源が管理できない。言い替えれば、品質の保障されるトラフィックストリームの伝送のためには、トラフィックストリームのために割り当てられたネットワーク資源と割り当てられた後実際にトラフィックストリーム伝送のために使われるネットワーク資源量の把握が要求される。しかし、ＵＰｎＰ  ＱｏＳアーキテクチャｖ１．０及びｖ２．０では、ネットワークの動的な変化をモニタリングできる方案を提示していない。これによって、ＵＰｎＰ  ＱｏＳアーキテクチャに従わないネットワークにおいては資源状況の確認ができずサービス提供が行なわれない問題を抱えている。
【特許文献１】日本特許公開第２００５−０９４７３８号公報
【特許文献２】日本特許公開第２００３−０６０６９１号公報
【特許文献３】米国特許公開第２００３−００５１３０号公報
【特許文献４】韓国特許公開第２００５−０６７３２２号公報
【発明の開示】
【発明が解決しようとする課題】
【０００５】
本発明の目的は、品質の保障されたストリーミングサービスを提供するため、ホームネットワーク内でＵＰｎＰ  ＱｏＳアーキテクチャを基盤にしてＵＰｎＰ  ＱｏＳアーキテクチャｖ１．０及びｖ２．０の限界を克服し、ネットワークの動的変化に適応的なストリーミングサービスの提供方法を提供することにある。
【課題を解決するための手段】
【０００６】
前述した目的を達成するための本発明に係るストリーミングサービスの提供方法は、メディアストリームを処理するＱｏＳデバイスの間のネットワーク資源を割り当てるＱｏＳマネージャーに要請したサービスが受諾されない場合、所定のネットワークに支援可能なサービスのレベルを決定するＱｏＳアダプタに適応的なサービス受諾を要請するステップと、前記ネットワークに適応的なサービスを提供するステップと、を含む。
【０００７】
前記ＱｏＳアダプタに適応的なサービス受諾を要請するステップが、前記ネットワークの資源状況情報に対する要請がある場合、前記ネットワークの資源状況情報をモニタリングする状態モニターから資源状況情報の伝達を受けるステップと、前記資源状況情報を前記ＱｏＳアダプタに伝達し、適応的なサービスを要請するステップと、を含む。
【０００８】
前記ＱｏＳアダプタに適応的なサービス受諾を要請するステップが、前記ネットワークの資源状況が現在提供されているサービスに影響を及ぼすと判断される場合、前記ネットワークのコンテンツ伝送性能を定義するコントロールポイントが適応的なサービスを要請するステップと、前記ネットワークの資源状況情報をモニタリングする状態モニターから資源状況情報の伝達を受けるステップと、前記資源状況情報を前記ＱｏＳアダプタに伝達し、適応的なサービスを要請するステップと、を含む。
【０００９】
前記ネットワークに適応的なサービスを提供するステップが、前記資源状況情報による適応的なサービスのレベルを決定するステップと、前記適応的なサービスのレベルを支援するための資源を割り当てるステップと、割り当てされた前記資源に応じて適応的なサービスを提供するステップと、を含む。
【００１０】
また、前記ネットワークに適応的なサービスを提供するステップが、前記資源状況情報による適応的なサービスのレベルを決定するステップと、前記適応的なサービスのレベルを支援するための資源を割り当てるステップと、割り当てされた前記資源に応じて適応的なサービスを提供するステップと、を含む。
ここで、前記状態モニターはＵＰｎＰメディアサーバからＵＰｎＰメディアレンダーラーにストリーミングサービスが提供される間、前記ＵＰｎＰメディアサーバ及び前記ＵＰｎＰメディアレンダーラーのネットワーク状況をモニタリングし、前記ストリーミングサービスに影響を及ぼす程度の資源変動を検知すると、前記ＱｏＳアダプタに適応的なサービスを要請することを特徴とする。
【００１１】
そして、前記資源状況情報が、前記ネットワークで利用可能な帯域幅の状態情報であることを特徴とする。
【００１２】
さらに、前記資源状況情報による適応的なサービスレベルを決定するステップが、前記帯域幅の状態情報による伝送率を調整するステップであるか、前記帯域幅の状態情報によるデータ量を調整するステップであることを特徴とする。
【発明の効果】
【００１３】
本発明によると、既存のＵＰｎＰ  ＱｏＳアーキテクチャが有する限界を克服することにより、変動するネットワークの資源状況に適応的なサービスを支援し、品質の保障されたストリーミングサービスを提供することができる。
【発明を実施するための最良の形態】
【００１４】
以下、添付の図面に基づいて本発明の好適な実施形態を詳述する。
（実施形態）
図１は本発明の一実施の形態に係るＵＰｎＰ  ＱｏＳアーキテクチャを概略的に示した図面である。
【００１５】
同図に示すように、本発明のＵＰｎＰ  ＱｏＳアーキテクチャは自分の属したネットワークに利用される政策（Ｐｏｌｉｃｙ）値をユーザ１００の命令に応じてセットし管理するＱｏＳ政策ホルダー１１０、ＱｏＳの保障されたコンテンツ伝送のための準備を要請するコントロールポイント１２０、ＱｏＳデバイス１４０，１５０，１６０間のメディアストリームに対する受諾制御、ネットワーク帯域幅の割り当て遂行、及び自分の属したネットワークの帯域幅資源を管理するＱｏＳマネージャー１３０から構成されている。
【００１６】
ＱｏＳマネージャー１３０は、ＱｏＳ政策ホルダー１１０と通信しメディアストリームへ適用するＱｏＳ関連の政策値を要請する。ＱｏＳ政策ホルダー１１０は、セッティングされた政策値に基づいてメディアストリーム間の優先順位を決定し、ＱｏＳマネージャー１３０へ伝達する。ＱｏＳデバイス１４０，１５０，１６０はＱｏＳマネージャー１３０を介して伝達された政策値に応じてメディアストリームを処理する。
【００１７】
コントロールポイント１２０は、コンテンツの提供者、受信者、伝送されるコンテンツ、及びコンテンツ伝送に要求される性能特徴を定義するＴスペックを有する。このようなコントロールポイント１２０はＴスペックをＱｏＳマネージャー１３０に伝達しＱｏＳの保障されるコンテンツを伝送するための準備を要請する。すると、ＱｏＳマネージャー１３０は、ＱｏＳ政策ホルダー１１０からＴスペックに基づき適切な政策値を要請する。
【００１８】
Ｔスペックを通じて伝達される情報はトラフィッククラス、コンテンツ提供者、及び受信者のＩＰアドレス、及び使われるべきプロトコルを含む。コンテンツ伝送のためＱｏＳの準備要請がある度にＴスペック情報がＱｏＳマネージャー１３０を介してＱｏＳ政策ホルダー１１０へ伝達される。この時、ＱｏＳ政策ホルダー１１０は伝達されたＴスペック情報を検討しトラフィックストリームに適用されるべき適切な政策値を返還する。
【００１９】
そして、ＱｏＳマネージャー１３０は、ＱｏＳ政策ホルダー１１０から獲得した政策値に基づいて伝送されるコンテンツトラフィックを、必要なレベルの品質に保障するためにＱｏＳデバイス１４０，１５０，１６０に適切な措置を取る。これによって、ＱｏＳデバイス１４０，１５０，１６０はソース１４０から媒介手段１５０を介してシンク１６０にトラフィックストリームを伝送する。
【００２０】
図２は本発明の一実施の形態に係るＵＰｎＰ  ＱｏＳアーキテクチャのストリーミングサービスのためのプロトコルスタックを示した図面である。
【００２１】
同図において、ＵＰｎＰメディアレンダーラーはメディアを再生するメディアプレーヤーであり、ＵＰｎＰメディアサーバはメディアを提供するメディアサーバである。ＵＰｎＰデバイスアーキテクチャはアドレシング、ディスカバリー、デスクリプション、コントロール、イベンティング、及びプレゼンテーションのようなＵＰｎＰネットワーキングに求められる基本的な動作を定義する。
【００２２】
本発明で提案するプロトコルスタックはＱｏＳアダプタ、承認コントローラ、及び状態モニターを含む。ＱｏＳアダプタは、現在のネットワーク資源に基づいて支援可能なサービスのレベルを決定する。承認コントローラはコントロールポイントあるいは状態モニターの要請に応じて、ＱｏＳアダプタから使用可能なネットワーク資源に基盤した適応的なサービスを要請する。
【００２３】
状態モニターは、ＵＰｎＰメディアサーバからＵＰｎＰメディアレンダーラーにストリーミングサービスが提供される間、ＵＰｎＰメディアサーバ及びＵＰｎＰメディアレンダーラーのネットワーク状況をモニタリングする。この時、状態モニターがストリーミングサービスに影響を及ぼす資源変動を検知すれば、ＱｏＳアダプタから適応的なサービスを要請する。
【００２４】
図３には図２に示したプロトコルスタックにより、ネットワーク状態変化に適応的なストリーミングサービスを提供するための過程が示されている。
【００２５】
同図に示すように、メディア伝送者２００側の状態モニター２４０及びメディア受信者４００側の状態モニター４５０がそれぞれ自分の含まれたネットワークの資源状況をモニタリングする（１）。そして、状態モニター２４０，４５０がストリーミングサービスに影響を及ぼす情報の資源変動を検知すれば、ＱｏＳアダプタ２６０に適応的なサービスを要請する（２）。
【００２６】
ＱｏＳアダプタ２６０は状態モニター２４０，４５０から受信した適応的なサービス要請に対するサービスレベルを決定する（３）。その後、ＱｏＳアダプタ２６０は、ＱｏＳマネージャー２３０に資源の再割り当てを要請し（４）、ＱｏＳマネージャー２３０はメディア伝送者２００側のＱｏＳデバイス２２０及びメディア受信者４００側のＱｏＳデバイス４２０に資源を再度割り当てる（５）。これにより、適応的なサービスが開始され、プロキシ３００を介してメディアサーバ２１０からメディアレンダーラー４１０に適応的なストリーム（アダプテッドストリーム）が伝送される（６）。
【００２７】
図４は図２に示したプロトコルスタックにより、ストリーミングサービスのためのＱｏＳ準備作業が失敗した場合、ネットワーク状態変化に適応的なストリーミングサービスを提供するための過程を示している。
【００２８】
同図に示すように、現在提供されているサービスに影響を及ぼすほどの資源変更が発生すれば、ＱｏＳマネージャー２３０がコントロールポイント４３０にサービス要請を拒絶する（１）。すると、コントロールポイント４３０が承認コントローラ４４０に適応的なサービスを要請し（２）、状態モニター４５０はメディア受信者４００側の資源状況をモニタリングして（３）、資源情報を承認コントローラ４４０に提供する（４）。
【００２９】
そして、承認コントローラ４４０はＱｏＳアダプタ２６０に適応的なサービスを要請し（５）、メディア伝送者２００側の状態モニター２４０は自分の属したネットワークの資源状況をモニタリングして（６）、ＱｏＳアダプタ２６０に資源情報を提供する（７）。ＱｏＳアダプタ２６０はそれぞれの資源情報を参照し、適応的なサービスレベルを決定し（８）、ＱｏＳマネージャー２３０に資源割り当てを要請する（９）。
【００３０】
ＱｏＳマネージャー２３０は要請された資源をメディア伝送者２００側のＱｏＳデバイス２２０及びメディア受信者４００側のＱｏＳデバイス４２０に割り当てる（１０）。この時、ＱｏＳアダプタ２６０がコントロールポイント４３０に適応的なサービス要請を受諾し（１１）、適応的なサービスが開始されてプロキシ３００を介してメディアサーバ２１０からメディアレンダーラー４１０に適応的なストリームが伝送される（１２）。
【００３１】
図５は本発明の一実施の形態に係るＵＰｎＰ  ＱｏＳアーキテクチャの適応的なストリーミングサービスの提供方法を説明するためのフローチャートである。
【００３２】
同図に示すように、まず、ＱｏＳマネージャー２３０に要請したサービスの受諾可否に応じて（Ｓ５００）、ＱｏＳマネージャー２３０に要請したサービスが受諾したと判断されれば、ユーザが要請したサービス提供が開始される（Ｓ５６０）。一方、ＱｏＳマネージャー２３０に要請したサービスが受諾されないと判断されれば、承認コントローラ２５０，４４０を通じて、ＱｏＳアダプタ２６０に適応的なサービス受諾を要請する（Ｓ５２０）。そして、ＱｏＳアダプタ２６０に要請した適応的なサービスの受諾可否に応じて、適応的なサービスが提供される（Ｓ５４０）。
【００３３】
図６は図３のストリーミングサービスを提供する過程において資源情報の伝達過程を説明するためのフローチャートである。
【００３４】
同図に示すように、ＱｏＳマネージャーに要請したサービスが受諾しない場合（Ｓ５００）、資源状況情報に対する要請があれば（Ｓ５２１−１）、状態モニター２４０，４５０から承認コントローラ２５０，４４０に資源状況情報が伝達され（Ｓ５２３−１）、自分の属したネットワークの資源情報をＱｏＳアダプタ２６０に伝達し適応的なサービスを要請する（Ｓ５２５−１）。
【００３５】
すなわち、メディア伝送者２００側の状態モニター２４０は承認コントローラ２５０を介してＱｏＳアダプタ２６０に資源情報を伝達し、メディア受信者４００側の状態モニター４５０は承認コントローラ４４０を介してＱｏＳアダプタ２６０に資源情報を伝達する。
【００３６】
図７は図４のストリーミングサービスを提供する過程において資源情報の伝達過程を説明するためのフローチャートである。
【００３７】
同図に示すように、ＱｏＳマネージャーに要請したサービスが受諾しない場合（Ｓ５００）、現在の資源状況が提供されているサービスに影響を及ぼしたか否かを判断し（Ｓ５２１−２）、影響を及ぼしたと判断されれば、コントロールポイント４３０が適応的なサービスを要請し（Ｓ５２３−２）、状態モニター２４０，４５０から承認コントローラ２５０，４４０に資源状況情報を伝達する（Ｓ５２５−２）。そして、自分の属したネットワークの資源情報をＱｏＳアダプタ２６０に伝達し適応的なサービスを要請する（Ｓ５２７−２）。
【００３８】
すなわち、メディア伝送者２００側の状態モニター２４０は承認コントローラ２５０を介してＱｏＳアダプタ２６０に資源情報を伝達し、メディア受信者４００側のコントロールポイント４３０の適応的なサービス要請に応じて状態モニター４５０は承認コントローラ４４０を介してＱｏＳアダプタ２６０に資源情報を伝達する。
【００３９】
図８は図３及び図４のＱｏＳアダプタの適応的なサービスの提供過程を説明するためのフローチャートである。
【００４０】
同図に示すように、まず、承認コントローラ４４０を介してＱｏＳアダプタ２６０に適応的なサービス受諾が要請されれば（Ｓ５２０）、ＱｏＳアダプタ２６０は状態モニター２４０，４５０及び承認コントローラ２５０，４４０からの適応的なサービス要請を受諾する（Ｓ５４１）。そして、ＱｏＳアダプタ２６０は受信した資源情報に基づいて適応的なサービスのレベルを決定する（Ｓ５４２）。なお、メディアサーバ２１０の場合は状態モニター２４０を介して、メディアレンダーラー４１０の場合は状態モニター４５０及び承認コントローラ４４０を介して適応的なサービスをＱｏＳアダプタ２６０に要請する。
【００４１】
メディアレンダーラー４１０の場合、ユーザがメディアストリームのために要請したＱｏＳ準備過程が失敗した場合のみ、承認コントローラ４４０を介してＱｏＳアダプタ２６０に適応的なサービスを要請し、残りの場合は全て状態モニター４５０を介して適応的なサービスを要請する。
【００４２】
適応的なサービスが提供可能であるか否かを判断し（Ｓ５４３）、適応的なサービスができない場合、現在提供されているストリーミングサービスにはいずれの変化が発生せず現状態が持続される。すなわち、ユーザにサービス拒絶メッセージが伝達され、現在提供されているサービスが持続される（Ｓ５４６）。
【００４３】
一方、適応的なサービスが提供できる場合、決定された適応的なサービスのレベル支援のための資源を割り当てる（Ｓ５４４）。すなわち、ネットワークで利用可能な帯域幅の状態に応じてデータ伝送率や伝送されるデータ量を調節する。
【００４４】
例えば、メディアストリームがＭＰＥＧ２ＴＳ（トランスポートストリーム）の形態である場合、フレームを強制もドロップしメディアストリーム伝送に必要なネットワーク資源量を減らす。つまり、現在に使用可能な資源が２０Ｍｂｐｓ以上であれば元のストリームをそのまま伝送し、２０Ｍｂｐｓより小さく１１Ｍｂｐｓ以上であれば、Ｂフレームをドロップして適応的なサービスを提供する。また、１１Ｍｂｐｓより小さく６Ｍｂｐｓ以上であれば、Ｂフレーム及びＰフレームをドロップして適応的なサービスを提供する（Ｓ５４５）。以上のような過程に基づいてネットワークの資源状況に適応的なサービス提供が可能となる。
【図面の簡単な説明】
【００４５】
【図１】本発明の一実施の形態に係るＵＰｎＰ  ＱｏＳアーキテクチャを概略的に示した図である。
【図２】本発明の一実施の形態に係るＵＰｎＰ  ＱｏＳアーキテクチャのストリーミングサービスのためのプロトコルスタックを示した図である。
【図３】本発明の一実施の形態に係るＵＰｎＰ  ＱｏＳアーキテクチャを基盤にしたストリーミングサービスの提供過程を示した図である。
【図４】本発明の一実施の形態に係るＵＰｎＰ  ＱｏＳアーキテクチャを基盤にしたストリーミングサービスの提供過程を示した図である。
【図５】本発明の一実施の形態に係るＵＰｎＰ  ＱｏＳアーキテクチャの適応的なストリーミングサービス提供の方法を説明するためのフローチャートである。
【図６】図５におけるＵＰｎＰ  ＱｏＳアーキテクチャの適応的なストリーミングサービスの提供方法を詳細に説明するためのフローチャートである。
【図７】図５におけるＵＰｎＰ  ＱｏＳアーキテクチャの適応的なストリーミングサービスの提供方法を詳細に説明するためのフローチャートである。
【図８】図５におけるＵＰｎＰ  ＱｏＳアーキテクチャの適応的なストリーミングサービスの提供方法を詳細に説明するためのフローチャートである。
【符号の説明】
【００４６】
１００      ユーザ
１１０      ＱｏＳ政策ホルダー
１２０      コントロールポイント
１３０      ＱｏＳマネージャー
１４０，１５０，１６０      ＱｏＳデバイス
【図１】
2007184902.tif 000003
【図２】
2007184902.tif 000004
【図３】
2007184902.tif 000005
【図４】
2007184902.tif 000006
【図５】
2007184902.tif 000007
【図６】
2007184902.tif 000008
【図７】
2007184902.tif 000009
【図８】
2007184902.tif 000010